(57)【要約】【課題】表面の光沢紙が歪みの少ない鏡面となる表紙部材を提供する。【解決手段】ハードカバーの本を形成する、ボール紙１２を芯材とする表紙部材２０において、上面に接着剤１１を、それぞれ直径Ｄが略等しく、且つそれぞれの接着剤同士の距離Ｓが略等しくなるように点状に複数塗布したボール紙１２と、ボール紙１２の上面の、本の表表紙と裏表紙とを形成する部位に貼着され、上面がタック処理されてなる平滑紙２３と、平滑紙２３の上面に貼着され、縁部１４ａがボール紙及び平滑紙の端部１２ａ，２３ａで折り返されると共に、折り返された縁部１４ａがボール紙１２の下面に貼着され、しかも上面に光沢を有する光沢紙１４と、を備えてなる。【選択図】図２
2010143076.tif 000002
【特許請求の範囲】
【請求項１】
ハードカバーの本を形成する表紙部材において、
上面に接着剤が塗布され芯材となるボール紙と、
前記ボール紙の上面に貼着された平滑紙と、
前記平滑紙の上面に貼着され、縁部が前記ボール紙及び前記平滑紙の端部で折り返されると共に、折り返された前記縁部が前記ボール紙の下面に貼着され、しかも上面に光沢を有する光沢紙と、を備えてなることを特徴とする表紙部材。
【請求項２】
前記接着剤を、前記ボール紙の上面に、点状に複数塗布したことを特徴とする請求項１に記載の表紙部材。
【請求項３】
前記接着剤は、それぞれ直径が略等しく、且つそれぞれの前記接着剤同士の距離が略等しくなるように点状に塗布されてなることを特徴とする請求項２に記載の表紙部材。
【請求項４】
前記接着剤を、前記ボール紙の上面に、格子状に塗布したことを特徴とする請求項１に記載の表紙部材。
【請求項５】
前記ボール紙は、前記本の表表紙と裏表紙とを形成することを特徴とする請求項１乃至４のうちいずれか一つに記載の表紙部材。
【請求項６】
前記平滑紙の上面を、タック処理してなることを特徴とする請求項１乃至５のうちいずれか一つに記載の表紙部材。
【発明の詳細な説明】
【技術分野】
【０００１】
本発明は、ハードカバーの本を形成する表紙部材に関するものである。
【背景技術】
【０００２】
一般に、ハードカバーの本の表紙部材やアルバムの表紙部材は、図６及び図７に示すように、ボール紙１２を芯材として、ボール紙１２の上面に接着剤１１が塗布され、光沢紙１４が貼着される。そして、光沢紙の縁部１４ａがボール紙の端部１２ａで折り返されると共に、折り返された光沢紙の縁部１４ａがボール紙１２の下面に貼着されてなる。
このような表紙部材１０は、しばらく時間が経過すると反りが生じてしまい、体裁が損なわれることがある。
【０００３】
これに対して、時間が経過しても反りがほとんど生じない表紙部材１０が開示されている（例えば、特許文献１参照）。
【特許文献１】実用新案登録第２５３８７４７号公報
【０００４】
この表紙部材１０は、製紙の際に紙の繊維が流れる方向に生じる「紙の目」に注目し、二枚の紙材を貼着するときに、それぞれの紙の目が直交するようにして、反りの対策とした。
【発明の開示】
【発明が解決しようとする課題】
【０００５】
しかしながら、このような表紙部材１０であって反りが生じないとしても、ボール紙１２の表面には元々微細な凹凸が存在する。ゆえに、この凹凸に沿って、ボール紙１２に貼着された光沢紙１４にも凹凸が生じてしまい、光沢紙１４は完全には平面とならない。
よって、この表紙部材１０では、外観となる光沢紙１４に映る像が歪んでしまうといった問題が残る。通常の本に使用する表紙部材１０の場合には、この程度の表紙部材１０の表面の歪みは問題とならないが、例えば記念のアルバムであったり、お見合い写真で用いる表紙部材１０の場合には高級感が求められるため、表紙部材１０の表面は歪みのない鏡面であることが望ましい。
【０００６】
そこで、本発明の目的とするところは、ボール紙を芯材として使用しても、表面の光沢紙が歪みの少ない鏡面となる表紙部材を提供することにある。
【課題を解決するための手段】
【０００７】
上記の目的を達成するために、本発明の請求項１に記載の表紙部材（２０）は、ハードカバーの本を形成する表紙部材（２０）において、上面に接着剤（１１）が塗布され芯材となるボール紙（１２）と、ボール紙（１２）の上面に貼着された平滑紙（２３）と、平滑紙（２３）の上面に貼着され、縁部（１４ａ）がボール紙及び平滑紙の端部（１２ａ，２３ａ）で折り返されると共に、折り返された縁部（１４ａ）がボール紙（１２）の下面に貼着され、しかも上面に光沢を有する光沢紙（１４）と、を備えてなることを特徴とする。
【０００８】
また、請求項２に記載の表紙部材（２０）は、接着剤（１１）を、ボール紙（１２）の上面に、点状に複数塗布したことを特徴とする。
【０００９】
また、請求項３に記載の表紙部材（２０）は、接着剤（１１）は、それぞれ直径（Ｄ）が略等しく、且つそれぞれの接着剤同士の距離（Ｓ）が略等しくなるように点状に塗布されてなることを特徴とする。
【００１０】
また、請求項４に記載の表紙部材（２０）は、接着剤（１１）をボール紙（１２）の上面に、格子状に塗布したことを特徴とする。
【００１１】
また、請求項５に記載の表紙部材（２０）は、ボール紙（１２）は、本の表表紙と裏表紙とを形成することを特徴とする。
【００１２】
また、請求項６に記載の表紙部材（２０）は、平滑紙（２３）の上面を、タック処理してなることを特徴とする。
【００１３】
ここで、上記括弧内の記号は、図面および後述する発明を実施するための最良の形態に掲載された対応要素または対応事項を示す。
【発明の効果】
【００１４】
本発明の請求項１に記載の表紙部材によれば、ハードカバーの本を形成する表紙部材において、表紙部材は、ボール紙の上面に平滑紙が貼着され、平滑紙の上面に光沢紙が貼着されてなるので、光沢紙の表面は平面となる。すなわち、ボール紙の表面に凹凸があっても、ボール紙と光沢紙の間には平滑紙が介在するので、光沢紙へのボール紙の凹凸の影響は小さくなる。よって、光沢紙に映る像が歪み難く、高級感がある。
【００１５】
また、請求項２に記載の表紙部材によれば、請求項１に記載の発明の作用効果に加え、ボール紙の上面に接着剤を点状に複数塗布したので、その上面に貼着される平滑紙が平面となる。すなわち、ボール紙の表面に凹凸があっても、ボール紙と平滑紙は部分的にしか接触しないので、平滑紙はボール紙の表面の凹凸の影響を受け難い。よって、平滑紙は平面となり、その上面に貼着される光沢紙は平滑紙に沿ってより平面となるので、光沢紙に映る像が歪み難い。
【００１６】
また、請求項３に記載の表紙部材によれば、請求項２に記載の発明の作用効果に加え、接着剤は、それぞれ直径が略等しく、且つそれぞれの接着剤同士の距離が略等しくなるように点状に塗布されてなるので、ボール紙に平滑紙を貼着したときに接着剤が広がったとしても、隣接する接着剤同士が接合しない。よって、ボール紙と平滑紙の接着面積が広くならないので、光沢紙の平面度が保障される。
【００１７】
また、請求項４に記載の表紙部材によれば、請求項１に記載の発明の作用効果に加え、ボール紙の上面に接着剤を格子状に複数塗布したので、その上面に貼着される平滑紙が平面となる。すなわち、ボール紙の表面に凹凸があっても、ボール紙と平滑紙は部分的にしか接触しないので、平滑紙はボール紙の表面の凹凸の影響を受け難い。よって、平滑紙は平面となり、その上面に貼着される光沢紙は平滑紙に沿ってより平面となるので、光沢紙に映る像が歪み難い。
【００１８】
また、請求項５に記載の表紙部材によれば、請求項１乃至４に記載の発明の作用効果に加え、ボール紙は本の表表紙と裏表紙とを形成するので、コストが少なくて済む。つまり、平面となる表表紙と裏表紙のみを形成し、元々断面円弧形にすることが多く、平面とはならない背表紙部分は、このような構成の表紙部材を使用しないので、この分だけコストが掛からない。
【００１９】
また、請求項６に記載の表紙部材によれば、請求項１乃至５に記載の発明の作用効果に加え、平滑紙の上面をタック処理してなるので、タック糊の厚みによって光沢紙の平滑度が増す。すなわち、タック糊の厚みで光沢紙へのボール紙の凹凸の影響がより少なくなるので、光沢紙に映る像がより一層歪み難い。
また、貼着作業が簡便となる。
【００２０】
なお、本発明の表紙部材のように、ボール紙の上面に接着剤を点状又は格子状に塗布した後、平滑紙を貼着してなる点は、上述した特許文献１には全く記載されていない。
【発明を実施するための最良の形態】
【００２１】
図１乃至図４を参照して、本発明の実施形態に係る表紙部材２０を説明する。図１は、本発明の実施形態に係る表紙部材２０を示す分解平面図である。図２は、図１に示す表紙部材２０の斜視図である。
【００２２】
この表紙部材２０は、ハードカバーの本を形成するものであり、ボール紙１２と、平滑紙２３と、光沢紙１４と、を備える。
【００２３】
ボール紙１２は、表紙部材２０において芯材となる。また、ボール紙１２は、図１及び図２に示すように、本の表表紙、裏表紙、背表紙を形成するものに分かれている。
ここで、本の表表紙と裏表紙を形成するボール紙１２の上面には接着剤１１が、それぞれ直径Ｄが略等しく、且つそれぞれの接着剤同士の距離Ｓが略等しくなるように、点状に複数塗布されてなる。具体的には図３に示すように、接着剤の直径Ｄを約１０ｍｍ、隣り合う接着剤同士の距離Ｓを約５０ｍｍとした。
一方、背表紙を形成するボール紙１２には、上面の全てにタック処理が施されている。
【００２４】
平滑紙２３は、表面が平滑な紙であり、その上面はタック処理が施されており、下面は通常の紙材のままである。このタック処理とは、いわゆるシール加工であり、平滑紙２３は下層側から順に積層状に基材、タック糊、剥離紙からなる。対象物に貼着する場合には、剥離紙を剥がして使用する。本実施形態では予め剥離紙を剥がしているものとする。
この平滑紙２３は、ボール紙１２の上面、且つ本の表表紙と裏表紙とを形成するボール紙１２の部位に貼着される。すなわち、本の背表紙を形成するボール紙１２には、平滑紙２３は貼着されない。
【００２５】
光沢紙１４は、上面に光沢を有する紙であり、図１に示すように、外形は一組（三枚）のボール紙１２を並べて置いたものよりも一回り大きい。本の表表紙と裏表紙とを形成する部位の光沢紙１４の下面は、平滑紙２３の上面に貼着され、本の背表紙を形成する部位の光沢紙１４の下面は、ボール紙１２の上面に貼着される。そして、光沢紙の縁部１４ａがボール紙及び平滑紙の端部１２ａ，２３ａで折り返されると共に、折り返された縁部１４ａがボール紙１２の下面に貼着される。
すなわち、表紙部材２０は、図４に示すように本の表表紙と裏表紙とを形成する部位においては、ボール紙１２、平滑紙２３、光沢紙１４の三層構造となる。なお、図４においては、分かり易くするためにそれぞれの紙１２，２３，１４同士を離して描いているが、現実には前述の通りそれぞれ貼着されている。
【００２６】
以上のように構成された表紙部材２０によれば、ハードカバーの本を形成する、ボール紙１２を芯材とする表紙部材２０において、ボール紙１２の上面に接着剤１１を点状に複数塗布したので、その上面に貼着される平滑紙２３が平面となる。すなわち、ボール紙１２の表面に凹凸があっても、ボール紙１２と平滑紙２３は部分的にしか接触しないので、平滑紙２３はボール紙１２の凹凸の影響を受け難い。よって、平滑紙２３は平面となり、その上面に貼着される光沢紙１４は平滑紙２３に沿って平面となるので、光沢紙１４に映る像が歪み難く、高級感がある。
また、接着剤１１は、それぞれ直径Ｄが略等しく、且つそれぞれの接着剤同士の距離Ｓが略等しくなるように点状に塗布されてなるので、ボール紙１２に平滑紙２３を貼着したときに接着剤１１が広がったとしても、隣接する接着剤１１同士が接合しない。よって、ボール紙１２と平滑紙２３の接着面積が広くならないので、光沢紙１４の平面度が保障される。
【００２７】
それに加え、平滑紙２３を、本の表表紙と裏表紙とを形成するボール紙１２の部位に貼着したので、コストが少なくて済む。つまり、元々断面円弧形にすることが多く、平面とはならない背表紙部分には平滑紙２３を使わないので、この分だけコストが掛からない。
しかも、平滑紙２３の上面をタック処理してなるので、タック糊の厚みによって光沢紙１４の平滑度が増し、光沢紙１４に映る像がより一層歪み難い。また、貼着作業が簡便である。
【００２８】
なお、本の表表紙と裏表紙を形成するボール紙１２の上面に塗布する接着剤１１はそれぞれ直径Ｄが略等しく、且つそれぞれの接着剤同士の距離Ｓが略等しくなるように点状に塗布されたとしたが、これに限られるものではなく、直径Ｄが略等しくなくても、またそれぞれの接着剤同士の距離Ｓが略等しくなくてもよい。すなわち、ボール紙１２と平滑紙２３が部分的に貼着するならば、光沢紙１４に映る像の歪みを十分に少なくすることができる。
【００２９】
また、接着剤１１は点状に塗布したとしたが、これに限られるものではなく、図５（ａ）に示すようにボール紙１２の各辺に平行な格子状に接着剤１１を塗布してもよいし、図５（ｂ）に示すように、ボール紙１２の各辺に対して４５度傾いた格子状として接着剤１１を塗布してもよい。
【００３０】
また、ボール紙１２の上面全てに接着剤１１を塗ってもよい。すなわち、ボール紙１２の表面に凹凸があっても、ボール紙１２と光沢紙１４の間には平滑紙２３が介在するので、光沢紙１４へのボール紙１２の凹凸の影響は小さくなり、光沢紙１４に映る像は従来よりも歪み難い。
【００３１】
また、表表紙と裏表紙とを形成するボール紙１２の部位にのみ平滑紙２３を貼着したとしたが、これに限られるものではなく、背表紙を形成するボール紙１２の部位にも平滑紙２３を貼着してもよい。
【００３２】
また、表表紙、背表紙、裏表紙を一体として形成する表紙部材２０について述べたが、これに限られるものではなく、表表紙や裏表紙をそれぞれ単独で形成してもよい。すなわち、背表紙を有しないアルバム等においては、ボール紙１２の上面に、ボール紙１２と同じ大きさの平滑紙２３を貼着してその上面から光沢紙１４を貼着して表紙部材２０を形成してもよい。
また、ボール紙１２は、本の表表紙、裏表紙、背表紙を形成する三枚に分かれているとしたが、これに限られるものではなく、光沢紙１４よりも一回り小さい一枚のボール紙１２からなっていてもよい。
【００３３】
また、平滑紙２３の上面はタック処理が施されているとしたが、これに限られるものではなく、平滑紙２３と光沢紙１４とは糊付けにより貼着されてもよい。そして、この糊付けは、にかわによるものであってもよい。
また、ボール紙１２の上面に接着剤１１を塗布したが、接着剤１１に限られるものではなく、糊でよいし、小さく千切った両面テープであってもよい。
【００３４】
また、点状に塗布した接着剤の直径Ｄと、接着剤同士の距離Ｓは最適なものを示したが、この数値に限定されるものではない。
【図面の簡単な説明】
【００３５】
【図１】本発明の実施形態に係る表紙部材を示す分解平面図である。
【図２】図１に示す表紙部材の斜視図である。
【図３】図１に示す表紙部材におけるボール紙に塗布された接着剤の直径と接着剤同士の間隔を示す平面図である。
【図４】図１に示す表紙部材の要部断面図である。
【図５】本発明の他の実施形態に係る表紙部材におけるボール紙を示す平面図であり、（ａ）は、ボール紙の各辺に平行な格子状に接着剤を塗布した図、（ｂ）は、ボール紙の各辺に対して４５度傾いた格子状として接着剤を塗布した図である。
【図６】従来例に係る表紙部材を示す分解平面図である。
【図７】図６に示す表紙部材の底面図である。
【符号の説明】
【００３６】
１０      表紙部材
１１      接着剤
１２      ボール紙
１２ａ    端部
１４      光沢紙
１４ａ    縁部
２０      表紙部材
２３      平滑紙
２３ａ    端部
Ｄ      接着剤の直径
Ｓ      接着剤同士の距離
【図１】
2010143076.tif 000003
【図２】
2010143076.tif 000004
【図３】
2010143076.tif 000005
【図４】
2010143076.tif 000006
【図５】
2010143076.tif 000007
【図６】
2010143076.tif 000008
【図７】
2010143076.tif 000009